(57)【要約】【課題】コルゲートチューブ抜けを抑制可能なコルゲートチューブ保持具を提供すること。【解決手段】コルゲートチューブ保持部は、長手方向にスリット３１が設けられたコルゲートチューブ３０を保持するための保持具である。コルゲートチューブ保持具は、コルゲートチューブ３０の外周面３２に係合可能な外装部１０と、コルゲートチューブ３０の中空部に挿入される筒状の内装部２０であって、内装部２０の外周面２１がコルゲートチューブ３０の内周面３５に当接し、内装部２０の中空部に電線４０を挿通可能である、内装部２０と、を備える。【選択図】図３
2020061906.tif 000002
【特許請求の範囲】
【請求項１】
長手方向に延びるスリットを有し且つ前記スリットを介して電線を内部に収容可能であるコルゲートチューブを保持するための保持具であって、
前記コルゲートチューブの外周面に係合可能な外装部と、
前記コルゲートチューブの中空部に挿入される筒状の内装部であって、当該内装部の外周面が前記コルゲートチューブの内周面に当接可能であり、且つ、当該内装部の中空部に前記電線を挿通可能である、内装部と、を備える、
コルゲートチューブ保持具。
【請求項２】
請求項１に記載のコルゲートチューブ保持具において、
前記内装部は、
複数の部品を有し、前記電線を挟むように前記複数の前記部品を組み付けることによって前記電線を当該内装部の中空部に挿通させる、ように構成される、
コルゲートチューブ保持具。
【請求項３】
請求項１又は請求項２に記載のコルゲートチューブ保持具において、
前記内装部は、
当該内装部の外周面から径方向外側に突出する第１凸部を有し、
前記外装部は、
前記第１凸部と係合可能な第２凸部を有する、
コルゲートチューブ保持具。
【請求項４】
長手方向に延びるスリットを有し且つ前記スリットを介して電線を内部に収容可能であるコルゲートチューブと、前記コルゲートチューブを保持するための保持具と、を備える、保持具付きコルゲートチューブであって、
前記保持具は、
前記コルゲートチューブの外周面に係合可能な外装部と、
前記コルゲートチューブの中空部に挿入される筒状の内装部であって、当該内装部の外周面が前記コルゲートチューブの内周面に当接可能であり、且つ、当該内装部の中空部に前記電線を挿通可能である、内装部と、を有し、
前記コルゲートチューブは、
当該コルゲートチューブの中空部に前記内装部が挿入され、且つ、当該コルゲートチューブの外周面に前記外装部が係合された状態で、前記保持具に保持される、
保持具付きコルゲートチューブ。
【発明の詳細な説明】
【技術分野】
【０００１】
本発明は、コルゲートチューブ保持具および保持具付きコルゲートチューブに関する。
【背景技術】
【０００２】
従来から、コルゲートチューブを保持する保持具（以下「プロテクタ」ともいう。）が提案されている。この種の保持具は、一般に、コルゲートチューブの外周面の凹部と保持具の内壁面に設けた凸部とを係合させることにより、コルゲートチューブを保持具から外れないように保持している。
【０００３】
ところで、コルゲートチューブに外力が及んだ場合等において、コルゲートチューブのスリットの両端面が径方向にオフセットすると、スリットの両端面の近傍部分が周方向にオーバーラップするようにコルゲートチューブが変形することで、コルゲートチューブのチューブ径が小さくなり（即ち、細くなり）、プロテクタからコルゲートチューブが外れる可能性がある。このようなコルゲートチューブの外れ（以下「コルゲートチューブ抜け」という。）は、出来る限り防がれることが望ましい。
【０００４】
例えば、従来のプロテクタの一つは、コルゲートチューブ抜けを防ぐため、プロテクタの内壁面からコルゲートチューブに向かって突出する薄板状の突出部を設け、この突出部をコルゲートチューブのスリットに挿入するようになっている。この突出部によってスリットの両端面のオフセットが抑制され、コルゲートチューブ抜けが防止されることになる（例えば、特許文献１を参照。）。
【先行技術文献】
【特許文献】
【０００５】
【特許文献１】特開２０１７−１４３６７４号公報
【発明の概要】
【発明が解決しようとする課題】
【０００６】
上述した従来のプロテクタは、コルゲートチューブ抜けを抑制可能である。しかし、実際の組み付け作業においては、プロテクタの内壁面に設けられたコルゲートチューブの外周面への係止用の凸部とコルゲートチューブとの干渉を避けながら、コルゲートチューブのスリットに突出部を挿入させることになる。そのため、従来のプロテクタをコルゲートチューブに取り付ける作業は、若干煩雑であると考えられる。このような煩雑さは、同作業の作業性を向上させる妨げとなり得る。
【０００７】
本発明は、上述した事情に鑑みてなされたものであり、その目的は、コルゲートチューブへの容易な取り付け及びコルゲートチューブ抜けの防止を両立可能なコルゲートチューブ保持具、及び、そのようなコルゲートチューブ保持具を用いた保持具付きコルゲートチューブ、を提供することにある。
【課題を解決するための手段】
【０００８】
前述した目的を達成するために、本発明に係るコルゲートチューブ保持具および保持具付きコルゲートチューブは、下記［１］〜［４］を特徴としている。
［１］
長手方向に延びるスリットを有し且つ前記スリットを介して電線を内部に収容可能であるコルゲートチューブを保持するための保持具であって、
前記コルゲートチューブの外周面に係合可能な外装部と、
前記コルゲートチューブの中空部に挿入される筒状の内装部であって、当該内装部の外周面が前記コルゲートチューブの内周面に当接可能であり、且つ、当該内装部の中空部に前記電線を挿通可能である、内装部と、を備える、
コルゲートチューブ保持具であること。
［２］
上記［１］に記載のコルゲートチューブ保持具において、
前記内装部は、
複数の部品を有し、前記電線を挟むように前記複数の前記部品を組み付けることによって前記電線を当該内装部の中空部に挿通させる、ように構成される、
コルゲートチューブ保持具であること。
［３］
上記［１］又は上記［２］に記載のコルゲートチューブ保持具において、
前記内装部は、
当該内装部の外周面から径方向外側に突出する第１凸部を有し、
前記外装部は、
前記第１凸部と係合可能な第２凸部を有する、
コルゲートチューブ保持具であること。
［４］
長手方向に延びるスリットを有し且つ前記スリットを介して電線を内部に収容可能であるコルゲートチューブと、前記コルゲートチューブを保持するための保持具と、を備える、保持具付きコルゲートチューブであって、
前記保持具は、
前記コルゲートチューブの外周面に係合可能な外装部と、
前記コルゲートチューブの中空部に挿入される筒状の内装部であって、当該内装部の外周面が前記コルゲートチューブの内周面に当接可能であり、且つ、当該内装部の中空部に前記電線を挿通可能である、内装部と、を有し、
前記コルゲートチューブは、
当該コルゲートチューブの中空部に前記内装部が挿入され、且つ、当該コルゲートチューブの外周面に前記外装部が係合された状態で、前記保持具に保持される、
保持具付きコルゲートチューブであること。
【０００９】
上記［１］の構成のコルゲートチューブ保持具によれば、コルゲートチューブの中空部に内装部が挿入された状態で、コルゲートチューブの外周面に外装部が係合する。換言すると、コルゲートチューブの周壁が内装部と外装部とに挟まれた状態で、コルゲートチューブがコルゲートチューブ保持具に保持される。よって、コルゲートチューブに外力が及んだ場合であっても、内装部により、コルゲートチューブのスリットの両端面が径方向にオフセットすることが抑制される。
【００１０】
更に、上記構成のコルゲートチューブ保持具によれば、内装部をコルゲートチューブに取り付けた後、内装部とコルゲートチューブとを一緒に外装部に組み付けることができる。そのため、上述した従来のプロテクタのような干渉を考慮することなく、保持具をコルゲートチューブに取り付けられる。よって、上述した従来のプロテクタに比べ、保持具をコルゲートチューブに取り付ける作業が容易になる。
【００１１】
したがって、本構成のコルゲートチューブ保持具は、コルゲートチューブへの容易な取り付け及びコルゲートチューブ抜けの防止を両立できる。
【００１２】
上記［２］の構成のコルゲートチューブ保持具によれば、内装部が複数の部品から構成され、それら複数の部品によって電線を挟むことで、内装部の中空部に電線が挿通されることになる。よって、電線に内装部を容易に装着できる。
【００１３】
上記［３］の構成のコルゲートチューブ保持具によれば、内装部が有する第１凸部（例えば、内装部の筒端部に設けたフランジ状の凸部）をコルゲートチューブの開口端に係合（例えば、接触）させることで、内装部がコルゲートチューブの内部に侵入し過ぎることを抑制できる。更に、内装部の第１凸部と外装部の第２凸部とを係合させる（例えば、互いに突き合わせる）ことで、コルゲートチューブ保持具にコルゲートチューブを取り付けるときの位置合わせが容易になる。よって、保持具をコルゲートチューブに取り付ける作業が更に容易になる。
【００１４】
上記［４］の構成の保持具付きコルゲートチューブによれば、コルゲートチューブの中空部に内装部が挿入された状態で、コルゲートチューブの外周面に外装部が係合することになる。換言すると、コルゲートチューブの周壁が内装部と外装部とに挟まれた状態で、コルゲートチューブがコルゲートチューブ保持具に保持される。よって、コルゲートチューブに外力が及んだ場合であっても、内装部により、コルゲートチューブのスリットの両端面が径方向にオフセットすることが抑制される。更に、内装部をコルゲートチューブに取り付けた後、内装部とコルゲートチューブとを一緒に外装部に組み付けることができる。そのため、上述した従来のプロテクタのような干渉を考慮することなく、保持具をコルゲートチューブに取り付けられる。よって、上述した従来のプロテクタに比べ、保持具をコルゲートチューブに取り付ける作業が容易になる。
【００１５】
したがって、本構成の保持具付きコルゲートチューブは、保持具をコルゲートチューブへ容易に取り付けることができ、更にコルゲートチューブ抜けを防止できる。
【発明の効果】
【００１６】
本発明によれば、コルゲートチューブ抜けを抑制可能なコルゲートチューブ保持具、及び、保持具付きコルゲートチューブ、を提供できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明の実施形態に係るコルゲートチューブ保持具の分解斜視図である。
【図２】図２（ａ）は、インナハウジングを構成する一対の分割体の分解斜視図であり、図２（ｂ）は、分割体の三面図である。
【図３】図３（ａ）〜図３（ｃ）は、電線が挿通されたコルゲートチューブの前端部にインナハウジングを組み付ける際の手順を説明するための第１〜第３の図である。
【図４】図４は、電線が挿通されたコルゲートチューブを保持した状態にある本発明の実施形態に係るコルゲートチューブ保持具の主要部の縦断面図である。
【図５】図５は、図４のＡ−Ａ断面図である。
【発明を実施するための形態】
【００１９】
以下、図面を参照しながら、本発明の実施形態に係るコルゲートチューブ保持具１について説明する。コルゲートチューブ保持具１は、電線４０が挿通されたコルゲートチューブ３０の一端部を保持するための保持具であり、プロテクタとも呼ばれる。コルゲートチューブ３０は、挿通された電線４０を保護するための外装部材である。
【００２０】
コルゲートチューブ３０は、図１に示すように、軸方向の全域に亘って軸方向に延びる１本のスリット３１が設けられた、可撓性を有する樹脂製の円筒状部材である。図４に示すように、コルゲートチューブ３０の外周面には、径方向外側に突出する円環状の凸部３２と、径方向内側に窪む円環状の凹部３３とが軸方向に交互に設けられている。コルゲートチューブ３０の内周面には、凸部３２に対応して径方向外側に窪む円環状の凹部３４と、凹部３３に対応して径方向内側に突出する円環状の凸部３５とが軸方向に交互に設けられている。
【００２１】
電線４０は、図１に示す例では、複数の電線の束として構成されている。電線４０は、１本のみで構成されていてもよい。
【００２２】
図１に示すように、コルゲートチューブ保持具１は、樹脂製のアウタハウジング１０と、樹脂製のインナハウジング２０とを備える。以下、説明の便宜上、図１に示すように、軸方向、上下方向、幅方向、前、後、上、下を定義する。軸方向、上下方向、及び幅方向は互いに直交している。軸方向は、コルゲートチューブ３０の長手方向と一致している。
【００２３】
まず、アウタハウジング１０について説明する。図１、図４及び図５に示すように、アウタハウジング１０は、アウタハウジング１０の上側部分を構成する上ハウジング１０ａと、アウタハウジング１０の下側部分を構成する下ハウジング１０ｂとを備える。図５に示すように、上ハウジング１０ａの幅方向両側に設けられた一対の係止爪１０ａ１と、下ハウジング１０ｂの幅方向両側に設けられた一対の係止爪１０ｂ１と係合させることで、上ハウジング１０ａ及び下ハウジング１０ｂの合わせ面同士が接触したアウタハウジング１０の組み付け完了状態が維持されるようになっている。
【００２４】
アウタハウジング１０の組み付け完了状態では、アウタハウジング１０の内部にて、軸方向に貫通する円柱状の電線挿通孔１１（図４及び図５参照）が構成される。図４に示すように、電線挿通孔１１における後側の開口端面１２から所定距離だけ前側に進入した位置の内壁面には、径方向内側に突出する円環状のリブ１３が設けられている。
【００２５】
電線挿通孔１１におけるリブ１３と開口端面１２との間の部分は、コルゲートチューブ３０の前端部を保持するためのコルゲートチューブ保持孔１４（図４参照）として機能する。コルゲートチューブ保持孔１４の内壁面には、径方向内側に突出する円環状の凸部１５と、径方向外側に窪む円環状の凹部１６とが軸方向に交互に設けられている。軸方向に隣接する凸部１５（又は、凹部１６）同士の間隔は、コルゲートチューブ３０の軸方向に隣接する凹部３３（又は、凸部３２）同士の間隔と一致する。凸部１５の内径は、凹部３３の外径より若干大きく、凹部１６の内径は、凸部３２の外径より若干大きい。このため、コルゲートチューブ保持孔１４は、凸部１５（又は、凹部１６）と凹部３３（又は、凸部３２）とが係合した状態で、コルゲートチューブ３０の前端部をアウタハウジング１０から抜けないように保持可能となっている（図４参照）。
【００２６】
次いで、インナハウジング２０について説明する。図３に示すように、インナハウジング２０は、インナハウジング２０の上側部分を構成する上分割体２０ａと、インナハウジング２０の下側部分を構成する下分割体２０ｂとを備える。上分割体２０ａ及び下分割体２０ｂは、本例では同形である。上分割体２０ａ及び下分割体２０ｂの合わせ面同士を接合させることで、円筒状部分２１と、円筒状部分２１の前端部から径方向外側に突出する円環状のフランジ部２２と、からなるインナハウジング２０が構成される。
【００２７】
円筒状部分２１の外径は、コルゲートチューブ３０の内周面の凸部３５の内径より若干小さく、フランジ部２２の外径は、コルゲートチューブ３０の内周面の凸部３５の内径より大きく且つコルゲートチューブ保持孔１４の内壁面の凹部１６の内径より若干小さい。このため、インナハウジング２０は、円筒状部分２１がコルゲートチューブ３０の前端部の内部に進入し且つフランジ部２２がコルゲートチューブ３０の前端に係止された状態で、コルゲートチューブ３０の前端部に組み付け可能となっている（図４参照）。更に、インナハウジング２０が組み付けられた状態にあるコルゲートチューブ３０の前端部が、コルゲートチューブ保持孔１４に保持可能となっている（図４参照）。円筒状部分２１の外径は、コルゲートチューブ３０のスリット３１の両端面が径方向にオフセットすることを抑制可能であるようにコルゲートチューブ３０の内周面の凸部３５に接触するように、設計されればよい。
【００２８】
円筒状部分２１の内径は、電線４０の外径より大きい。よって、電線４０は、インナハウジング２０が組み付けられた状態にあるコルゲートチューブ３０に挿通可能となっている（図４参照）。
【００２９】
次いで、電線４０が挿通されたコルゲートチューブ３０の前端部をコルゲートチューブ保持具１に保持させる際の手順について説明する。
【００３０】
まず、図３（ａ）に示すように、コルゲートチューブ３０を挿通する電線４０の前端部の上下位置に、上分割体２０ａ及び下分割体２０ｂをそれぞれ配置させ、上分割体２０ａ及び下分割体２０ｂを上下方向にて近づけて、上分割体２０ａ及び下分割体２０ｂの合わせ面同士を接合させる。このとき、上分割体２０ａ及び下分割体２０ｂの合わせ面同士を、接着剤等を用いて分離不能に接合させることが好ましい。または、上分割体２０ａ及び下分割体２０ｂに係合手段を設け、この係合手段によって上分割体２０ａ及び下分割体２０ｂを分離不能に組み付けてもよい。これにより、電線４０の前端部を覆うようにインナハウジング２０が配置される。
【００３１】
次いで、図３（ｂ）に示すように、インナハウジング２０をコルゲートチューブ３０の前端部の内部に押し込むことで、図３（ｃ）に示すように、フランジ部２２がコルゲートチューブ３０の前端に接触するまで、円筒状部分２１をコルゲートチューブ３０の前端部に挿入させる。これにより、電線４０が挿通されたコルゲートチューブ３０の前端部にインナハウジング２０が組み付けられる。
【００３２】
次いで、電線４０が挿通され且つインナハウジング２０が組み付けられたコルゲートチューブ３０の前端部の上下位置に、上ハウジング１０ａ及び下ハウジング１０ｂをそれぞれ配置させる。そして、上ハウジング１０ａ及び下ハウジング１０ｂを上下方向に近づけて、コルゲートチューブ保持孔１４内にて凸部１５（凹部１６）と凹部３３（凸部３２）とが係合した状態を維持しながら、上ハウジング１０ａ及び下ハウジング１０ｂの合わせ面同士を接触させる。これにより、一対の係止爪１０ａ１と一対の係止爪１０ｂ１とが係合することで、アウタハウジング１０の組み付け完了状態が維持される。
【００３３】
この結果、図４に示すように、電線４０が電線挿通孔１１を挿通し、且つ、コルゲートチューブ３０の前端部がインナハウジング２０とアウタハウジング１０とで径方向に挟まれた状態で、コルゲートチューブ３０の前端部がコルゲートチューブ保持孔１４内に保持される。このため、コルゲートチューブ３０のスリット３１（図１参照）の両端面が径方向にオフセットすることが抑制された状態で、コルゲートチューブ３０の前端部が、アウタハウジング１０から抜けないように保持される（図４参照）。
【００３４】
以上、本発明の実施形態に係るコルゲートチューブ保持具１によれば、コルゲートチューブ３０の前端部の内部にインナハウジング２０の円筒状部分２１が挿入された状態で、コルゲートチューブ３０の外周面にアウタハウジング１０のコルゲートチューブ保持孔１４が係合する。よって、コルゲートチューブ３０に外力が及んだ場合であっても、インナハウジング２０により、コルゲートチューブ３０のスリット３１の両端面が径方向にオフセットすることが抑制される。その結果、本構成のコルゲートチューブ保持具１は、インナハウジング２０を備えない場合に比べ、コルゲートチューブの抜けを抑制できる。
【００３５】
更に、インナハウジング２０が２つの部品（上分割体２０ａ及び下分割体２０ｂ）から構成され、それら複数の部品２０ａ，２０ｂによって電線４０を挟むことで、インナハウジング２０の円筒状部分２１に電線４０が挿通されることになる。よって、本構成のコルゲートチューブ保持具１は、容易に電線４０にインナハウジング２０を装着できる。
【００３６】
更に、インナハウジング２０が有するフランジ部２２をコルゲートチューブ３０の前端に係合させることで、インナハウジング２０がコルゲートチューブ３０の内部に侵入し過ぎることを抑制できる。更に、インナハウジング２０のフランジ部２２とアウタハウジング１０のリブ１３（図４参照）とを係合させることで、コルゲートチューブ保持具１にコルゲートチューブ３０を取り付けるときの軸方向の位置合わせが容易になる。
【００３７】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３８】
上記実施形態では、インナハウジング２０にフランジ部２２が設けられ、アウタハウジング１０の電線挿通孔１１にリブ１３が設けられているが、フランジ部２２及びリブ１３の何れか一方又は両方は、省略してもよい。
【００３９】
更に、上記実施形態では、筒状のインナハウジング２０は、２つの分割体２０ａ，２０ｂを接合させることで構成されているが、筒状のインナハウジング２０は、３つ以上の分割体を接合させることで構成されていてもよいし、１つの筒状部材で構成されていてもよい。
【００４０】
ここで、上述した本発明に係るコルゲートチューブ保持具１及び保持具付きコルゲートチューブ（３０）の実施形態の特徴をそれぞれ以下［１］〜［３］に簡潔に纏めて列記する。
［１］
長手方向に延びるスリット（３１）を有し且つ前記スリットを介して電線（４０）を内部に収容可能であるコルゲートチューブ（３０）を保持するための保持具（１）であって、
前記コルゲートチューブ（３０）の外周面（３２）に係合可能な外装部（１０）と、
前記コルゲートチューブ（３０）の中空部に挿入される筒状の内装部（２０）であって、当該内装部（２０）の外周面（２１）が前記コルゲートチューブ（３０）の内周面（３５）に当接可能であり、且つ、当該内装部（２０）の中空部に前記電線（４０）を挿通可能である、内装部（２０）と、を備える、
コルゲートチューブ保持具（１）。
［２］
上記［１］に記載のコルゲートチューブ保持具（１）において、
前記内装部（２０）は、
複数の部品（２０ａ，２０ｂ）を有し、前記電線（４０）を挟むように前記複数の前記部品（２０ａ，２０ｂ）を組み付けることによって前記電線（４０）を当該内装部（２０）の中空部に挿通させる、ように構成される、
コルゲートチューブ保持具（１）。
［３］
上記［１］又は上記［２］に記載のコルゲートチューブ保持具（１）において、
前記内装部（２０）は、
当該内装部（２０）の外周面（２１）から径方向外側に突出する第１凸部（２２）を有し、
前記外装部（１０）は、
前記第１凸部（２２）と係合可能な第２凸部（１３）を有する、
コルゲートチューブ保持具（１）。
［４］
長手方向に延びるスリット（３１）を有し且つ前記スリットを介して電線を内部に収容可能であるコルゲートチューブ（３０）と、前記コルゲートチューブを保持するための保持具（１）と、を備える、保持具付きコルゲートチューブであって、
前記保持具（１）は、
前記コルゲートチューブの外周面に係合可能な外装部（１０）と、
前記コルゲートチューブの中空部に挿入される筒状の内装部（２０）であって、当該内装部の外周面が前記コルゲートチューブの内周面に当接可能であり、且つ、当該内装部の中空部に前記電線を挿通可能である、内装部と、を有し、
前記コルゲートチューブ（３０）は、
当該コルゲートチューブの中空部に前記内装部（２０）が挿入され、且つ、当該コルゲートチューブの外周面に前記外装部（１０）が係合された状態で、前記保持具（１）に保持される、
保持具付きコルゲートチューブ。
【符号の説明】
【００４１】
１      コルゲートチューブ保持具
１０    アウタハウジング（外装部）
１３    リブ（第２凸部）
２０    インナハウジング（内装部）
２０ａ  上分割体（部品）
２０ｂ  下分割体（部品）
２１    円筒状部分（外周面）
２２    フランジ部（第１凸部）
３０    コルゲートチューブ
３１    スリット
３２    凸部（外周面）
３５    凸部（内周面）
４０    電線
【図１】
2020061906.tif 000003
【図２】
2020061906.tif 000004
【図３】
2020061906.tif 000005
【図４】
2020061906.tif 000006
【図５】
2020061906.tif 000007